(57)【特許請求の範囲】
【請求項１】
ユニット住宅の上階鉄骨（１）に支持した上階外壁パネル（３）の下端部とその上階外壁パネルの下方において下階鉄骨（２）に支持した下階外壁パネル（４）との間隙部（Ｓ）をシールするユニット住宅の上下階間用シール材において、上階外壁パネルの裏面部と上階鉄骨（１）との間に上端部が挟まれて支持される１次止水材（５）と、その１次止水材の下部と前記間隙部（Ｓ）において上端部が水密に当接され、且つ下階外壁パネルの表面部に沿って垂下する２次止水材（６）とに分割すると共に、１次止水材の下端部に突設した１次シール部（５ｓ）を下階外壁パネルの上端面と弾接させ、２次止水材下端に結合した２次シール部（６ｓ）を、上下両外壁パネルに跨って取付ける化粧材（７）の内面に設けた押さえ部材（７ｐ）で下階外壁パネル表面に押し付けてなるユニット住宅の上下階間用シール材。
【請求項２】
１次止水材（５）が、上階外壁パネル（３）の裏面部と上階鉄骨（１）との間に上端部に挟まれる鉛直平面部分（５ａ）の下端に、前面が開いた断面略コの字状の受け部分（５ｂ）を結合し、その受け部分の開口下端に上向きの鈎部（５ｃ）を立設すると共に受け部分の上辺（５ｄ）を下向凸部を有する形状に形成し、受け部分の下面に下階外壁パネル（４）の上端面と弾接させる１次シール部（５ｓ）を突設したものであり、２次止水材（６）が鉛直本体部分（６ａ）の上端に、前記受け部分に挿入し、鈎部（５ｃ）に掛止する断面矢印状の掛止部分（６ｂ）を突設し、下端に２次シール部（６ｓ）を結合してなる請求項１記載のユニット住宅の上下階間用シール材。
【請求項３】
１次止水材（５）の受け部分（５ｂ）の上辺（５ｄ）の端部付近に下向シールリップ（５ｅ）を付設してなる請求項１又は２記載のユニット住宅の上下階間用シール材。
【発明の詳細な説明】
【０００１】
【発明の属する技術分野】
本発明はユニット住宅の上下階の間隙部の防水性を向上させる、ユニット住宅の上下階間用シール材の改良に関するものである。
【０００２】
【従来の技術】
図１に示すように、従来、ユニット住宅の上階鉄骨１に支持した上階外壁パネル３の下端部とその上階外壁パネル３の下方において下階鉄骨２に支持した下階外壁パネル４との間隙部Ｓをシールするシール材として、上階外壁パネル３の裏面部と上階鉄骨１との間に上端部を挟んで支持すると共に、下端部を下階外壁パネル４の表面部に垂下させて、粘着テープ６０で下階外壁パネル４の表面部に貼着するようにした防水シ−ト５０が使用されている。
【０００３】
なお、７０は間隙部Ｓを覆うよう上下外壁パネル３，４に跨って取付ける化粧材であって、上階外壁パネル３の下部に取付けた上階止め具８と下階外壁パネル４の上部に取付けた下階止め具９とで止めてある。また、Ｂはそれぞれ上下階止め具８，９を上下外壁パネル３，４に止めるビスである。
【０００４】
上記従来のユニット住宅の上下階間用シール材は、シール材の上下方向の幅が広く、組付け前は自由になっていて固定されておらず、輸送・施工の途中に外力を受けて破損したり、下端部の下階外壁パネル４への固定を、現場で剥離紙を剥離し、粘着面を下階外壁パネル４に当てて圧着する粘着テープ６０によっているため、作業如何によっては粘着テープ６０と下階外壁パネル４との間に異物が入り、剥離を起こし易かったり、不要になった剥離紙の処分に余計な手間が取られたりすると言う問題点がある。
【０００５】
【発明が解決しようとする課題】
解決しようとする課題は、上記従来のユニット住宅の上下階間用シール材は、輸送・施工の途中に外力を受けて破損したり、下端部の下階外壁パネル４への固定を粘着テープ６０によっているため、剥離を起こし易かったり、不要になった剥離紙の処分に余計な手間が取られたりすることであって、本発明は上記課題を解決した、輸送・施工の途中での破損が生じ難く、固定が確実で、ゴミ等を発生しないユニット住宅の上下階間用シール材を提供するものである。
【０００６】
【課題を解決するための手段】
図２及び図３を参考にして説明する。第１の発明に係るユニット住宅の上下階間用シール材は、図２及び図３に示す如く、ユニット住宅の上階鉄骨１に支持した上階外壁パネル３の下端部とその上階外壁パネル３の下方において下階鉄骨２に支持した下階外壁パネル４との間隙部Ｓをシールするシール材であって、上階外壁パネル３の裏面部と上階鉄骨１との間に上端部が挟まれて支持される１次止水材５と、その１次止水材５の下部と前記間隙部Ｓにおいて上端部が水密に接合され、且つ下階外壁パネル４の表面部に沿って垂下する２次止水材６とに分割すると共に、１次止水材５の下端部に突設した１次シール部５ｓを下階外壁パネル４の上端面と弾接させ、２次止水材６下端に結合した２次シール部６ｓを、上下両外壁パネル３，４に跨って取付ける化粧材７の内面に設けた押さえ部材７ｐで下階外壁パネル４表面に押し付けてなるものであって、シール材を２個に分割したため、上階外壁パネル３に対応させる１次止水材５の上下方向の幅が小さくなり、破損し難くなり、粘着テープが不要となり、粘着テープについての剥離を起こし易い、不要になった剥離紙の処分に余計な手間が取られる等の問題点が解消される。
【０００７】
第２の発明は、第１の発明における１次止水材５が、上階外壁パネル３の裏面部と上階鉄骨１との間に上端部が挟まれる鉛直平面部分５ａの下端に、前面が開いた断面略コの字状の受け部分５ｂを結合し、その受け部分５ｂの開口下端に上向きの鈎部５ｃを立設すると共に受け部分５ｂの上辺５ｄを下向凸部を有する形状に形成し、受け部分５ｂの下面に下階外壁パネル４の上端面と弾接させる１次シール部５ｓを突設したものであり、２次止水材６が鉛直本体部分６ａの上端に、前記受け部分５ｂに挿入し、鈎部５ｃに掛止する断面矢印状の掛止部分６ｂを突設し、下端に２次シール部６ｓを結合したものである。
【０００８】
第３の発明は、第１または第２の発明における１次止水材５の受け部分５ｂの上辺５ｄの端部付近に下向シールリップ５ｅを付設したものであり、このシールリップ５ｅは２次止水材６の掛止部分６ｂの基端部の上面に弾接している。
【０００９】
【発明の実施の形態】
本発明の実施の形態例について、図２及び図３により説明すると、１はユニット住宅の上階鉄骨、２はその上階鉄骨１の下方に略面一に配設した下階鉄骨、３，４はそれぞれ上下階鉄骨１，２の前面に面一に支持した上下階外壁パネル、Ｓは上階外壁パネル３と下階外壁パネル４との間に水平方向に形成された間隙部である。
【００１０】
シール材は基本的には次のように構成される。すなわち、５は上階外壁パネル３の裏面部と上階鉄骨１との間に上端部が挟まれ、支持される１次止水材であって、上階外壁パネル３の裏面部と上階鉄骨１との間に上端部を挟まれる鉛直平面部分５ａの下端に、前面が開いた断面略コの字状の受け部分５ｂを結合し、その受け部分５ｂの開口下端に上向きの鈎部５ｃを立設すると共に受け部分５ｂの上辺５ｄを下向凸部を有する形状に形成し、受け部分５ｂの下面に下階外壁パネル４の上端面と弾接させる１次シール部５ｓを突設してあり、また受け部分５ｂの上辺５ｄの端部付近に下向シールリップ５ｅを付設してある。６は前記１次止水材５と間隙部Ｓで上端部が水密に接合される２次止水材であって、鉛直本体部分６ａの上端に、前記受け部分５ｂに挿入し、鈎部５ｃに掛止する断面矢印状の掛止部分６ｂを突設し、下端に２次シール部６ｓを結合してあり、また掛止部分６ｂの基端部の上面に１次止水材５のシールリップ５ｅが弾接している。更に、２次止水材６は下階外壁パネル４の表面部に沿って垂下しており、下端には２次シール部６ｓを結合してある。この２次シール６ｓは下階外壁パネル４表面に、上下両外壁パネル３，４に跨って取付ける化粧材７の内面に設けた押さえ部材７ｐで押し付けるようにしてある。
【００１１】
シール材について詳細に説明すると、１次止水材５、２次止水材６は、それぞれ次のように構成される。先ず１次止水材５について説明すると、５ａは上階外壁パネル３の裏面部と上階鉄骨１との間に挟まれる鉛直平面部分、５ｂはその平面部分５ａの下端に結合した受け部分であって、前面が開いた断面略コの字状に形成してある。５ｃはその受け部分５ｂの開口下端に上向きに立設した鈎部で、受け部分５ｂの上辺５ｄは下向凸部を有する形状に形成してある。５ｓは下階外壁パネル４の上端面と弾接させる１次シール部であって、受け部分５ｂの下面に突設してある。
【００１２】
２次止水材６について説明すると、６ａは鉛直本体部分、６ｂはその本体部分６ａの上端に後向きに突設した断面矢印状掛止部分であって、前記受け部分５ｂに挿入し、鈎部５ｃに掛止するものである。６ｓは前述のように本体部分６ａの下端に結合した２次シール部である。
【００１３】
上下両外壁パネル３，４に跨って取付ける化粧材７は次のように構成される。すなわち、７ａ，７ｂはそれぞれ前面側に凸の曲線を左右水平方向に移動させた軌跡よりなる上下２個の凸部分、７ｃは２次止水材６の鉛直本体部分６ａの上部を押える鉛直押え部分であって、前記上凸部分７ａ下端と下凸部分７ｂ上端とを幅の狭い鉛直平面部分で一体に結合した形状のものである。また７ｐは下階外壁パネル４表面に２次シール６ｓを押し付ける鉛直平面部分を先端に形成した押さえ部材であって、化粧材７の下方凸部分７ｂの内面に突設してある。
【００１４】
さらに、化粧材７を上下階外壁パネル３，４にそれぞれ取付ける上下階止め具８，９について説明すると、上階用止め具８は、ビスＢで外壁パネル３に留める鉛直基板８ａに、化粧材７の上部内面に設けた下向突起７ｄを掛ける断面Ｌ字状の受け部８ｂを結合したものであり、また下階用止め具９は、断面略逆Ｊ字状であって、それをビスＢで外壁パネル４に留め、化粧材７の下部内面に設けた上向突起７ｅを下方から差込み、止めるようにしてある。
【００１５】
組付け要領について簡単に説明すると、受け部分５ｂが開口を前面にして、上下両外壁パネル３，４の間隙部Ｓ内に位置する如く、１次止水材５の上端部を上階外壁パネル３の裏面部と上階鉄骨１との間に挟んで支持する。次に２次止水材６の掛止部分６ｂを１次止水材５の受け部分５ｂに差込み、両者を水密に結合したうえ、本体部分６ａを下階外壁パネル４に沿って垂下させる。以上の状態で、化粧材７を上下階用止め具８，９により上述の通り上下両外壁パネル３，４に取付けると、押え部分７ｃが２次止水材６の本体部分６ａの上部を押えると共に、押さえ部材７ｐの先端の鉛直平面部分が２次シール６ｓを下階外壁パネル４表面に押し付け、固定するため、従来例に必要であった粘着シールを廃止することが出来る。
【００１６】
作用について説明すると、シール材を２個に分割したため、特に上階外壁パネル３に対応させる１次止水材５の上下方向の幅が小さくなり、運搬・施工途中の破損が起り難くなり、また、粘着テープを用いて、圧着しなくても、シール材を下階外壁パネル４表面に固定し、水密にシールすることが出来、しかも使用後不要になった剥離紙の処分に余計な手間が取られると言う問題も解消される。
【００１７】
【発明の効果】
本発明は以上のように構成されるため、構成は若干複雑になったが、運搬・施工途中の破損が起り難くなり、また、粘着テープが不要となり、しかもその剥離紙の処分に余計な手間が取られると言う問題も解消される。
【図面の簡単な説明】
【図１】従来例を示す垂直切断側面図である。
【図２】本発明の実施の形態例を示す垂直切断側面図である。
【図３】図２の一部の分解図である。
【符号の説明】
１      鉄骨
２      鉄骨
３      上階外壁パネル
４      下階外壁パネル
５      １次止水材
５ａ    鉛直平面部分
５ｂ    受け部分
５ｃ    鈎部
５ｄ    上辺
５ｅ    １次止水材と２次止水材の間のシール
５ｓ    １次シール部
６      ２次止水材
６ａ    本体部分
６ｂ    掛止部分
６ｓ    ２次シール部
７      化粧材
７ａ    凸部分
７ｂ    凸部分
７ｃ    鉛直押え部分
７ｄ    下向突起
７ｅ    上向突起
７ｐ    押さえ部材
８      上階用止め具
８ａ    鉛直基板
８ｂ    受け部
９      下階用止め具
５０    防水シ−ト
６０    粘着テープ
７０    化粧材
Ｂ      ビス
Ｓ      間隙部
【図１】
0003603212.tif 000002
【図２】
0003603212.tif 000003
【図３】
0003603212.tif 000004